(57)【要約】【課題】太陽光パネルを設置している家庭等における発電量や蓄電量のデータは、周辺エリア全体において、共有されず、有機的に組み合わされていない。太陽光パネルで発電した電力を地域電力会社に売電する際に、広域送配電網や家庭等における構内送配電網の周波数変動安定性や電圧変動安定性について考慮されていない。【解決手段】会員管理用コンピュータは、複数の地域会員の太陽光発電装置から送られてくる発電量／蓄電量／エリア情報と、送配電網管理用コンピュータから送られてくる広域送配電網状態情報と、複数の地域会員の太陽光発電装置の構内送配電網状態監視部から送られてくる構内送配電網状態情報と、に基づいて、各地域会員の太陽光発電装置の処理部に対して、それぞれ、（１）蓄電指令、（２）広域送配電網への送電指令、（３）構内送配電網への送電指令、（４）蓄電された電力の広域送配電網への送電指令、（５）蓄電された電力の構内送配電網への送電指令のうちいずれか１つを送信することを特徴とする地域太陽光発電・送電システムである。【選択図】  図１
2012050232.tif 000002
【特許請求の範囲】
【請求項１】
個人、地方自治体、学校、企業などの地域会員が、それぞれ、通信制御部と、処理部と、構内送配電網状態監視部と、送電／蓄電切替部と、太陽光発電部と、蓄電部と、接断部と、構内／広域グリッド切替部と、構内送配電網と、送電インターフェース部と、を備えた太陽光発電装置を有しており、
構内送配電網状態監視部は周波数、電圧など構内送配電網の状態を監視し、構内送配電網情報を処理部へ送るように処理部と接続され、
太陽光発電部は送電／蓄電切替部に接続され、太陽光発電部で発電された電力は送電／蓄電切替部へ送電され、
送電／蓄電切替部は蓄電部及び構内／広域グリッド切替部に接続され、処理部からの送電／蓄電切替信号に応じて、蓄電部または構内／広域グリッド切替部へ電力が送電され、
蓄電部は接断部を介して構内／広域グリッド切替部に接続され、処理部からの蓄電電力送電／遮断信号を受信した時に接断部が接続となり蓄電部に蓄えられた電力は構内／広域グリッド切替部へ送電され、一方、その他の時に接断部は遮断され、
構内／広域グリッド切替部は構内送配電網及び送電インターフェース部に接続され、処理部からの構内／広域グリッド切替信号に応じて構内送配電網または送電インターフェース部へ電力が送電され、
送電インターフェース部は広域送配電網に接続され送電し、
通信制御部は、会員管理用コンピュータ及び送配電網管理用コンピュータとともに、インターネットに接続され、情報の送受信ができ、
地域会員の太陽光発電装置の処理部は、一定周期に、または会員管理用コンピュータからの要求時に、地域会員の太陽光発電装置の発電量／蓄電量／エリア情報を送信し、インターネットを介して会員管理用コンピュータは受信し、
会員管理用コンピュータは、複数の地域会員の太陽光発電装置から送られてくる発電量／蓄電量／エリア情報と、送配電網管理用コンピュータから送られてくる広域送配電網状態情報と、複数の地域会員の太陽光発電装置の構内送配電網状態監視部から送られてくる構内送配電網状態情報と、に基づいて、各地域会員の太陽光発電装置の処理部に対して、それぞれ、（１）蓄電指令、（２）広域送配電網への送電指令、（３）構内送配電網への送電指令、（４）蓄電された電力の広域送配電網への送電指令、（５）蓄電された電力の構内送配電網への送電指令のうちいずれか１つを送り、
会員管理用コンピュータは、各地域会員の太陽光発電装置について、広域送配電網へ送電した総電力量を管理する、地域太陽光発電・送電システム。
【請求項２】
地域会員が太陽光発電装置を購入する際に、購入費用を地域銀行が地域会員に融資し、
各地域会員が太陽光発電した電力を地域電力会社へ売電し、返済期間中はその売電収入を各地域会員を介して地域銀行へ返済し、完済後は各地域会員が収入として受け取る、
ことを特徴とする請求項１に記載の地域太陽光発電・送電システム。
【発明の詳細な説明】
【技術分野】
【０００１】
本発明は、地域太陽光発電・送電システムに関し、特に、個人、地方自治体、学校、企業などの地域会員が太陽光発電装置を設置して発電した電力を有効に利用するシステムに関する。
【背景技術】
【０００２】
従来、個人、地方自治体、学校、企業などに太陽光パネルが設置されているが、これらは連携がなく、電力の利用はほとんど自己消費であり、余剰電力の電力会社への売電はほとんど利用されていなかった。また、太陽光パネルの設置にあたっては、ローンがあまり利用されず、初期準備金額が高額であった。
【発明の開示】
【発明が解決しようとする課題】
【０００３】
そのため、我国においては、太陽光パネルや太陽光発電装置の普及率がドイツ国等に比べて低かった。
【０００４】
その原因の１つとして、地域電力会社に家庭・一般企業などが発電した再生可能エネルギーを強制的に買い取る義務を課す制度である「フィードインタリフ制度」が我国では導入されていないことが挙げられる。
【０００５】
また、他の原因として、太陽光パネルを設置している家庭や一般企業における発電量や蓄電量のデータは、個々に有しているだけであり、記録として残していないこともあり、周辺エリア全体において、各家庭等のデータを共有し、これらのデータを有機的に組み合わされていないことが挙げられる。
【０００６】
さらに他の理由として、従来の太陽光パネルで発電した電力を地域電力会社に売電する際に、広域送配電網の周波数変動安定性や電圧変動安定性について考慮されていないばかりでなく、家庭等における構内送配電網の周波数変動安定性についてまったく考慮されていないことが挙げられる。
【課題を解決するための手段】
【０００７】
上記課題は、請求項１に記載の本発明に係る地域太陽光発電・送電システム、すなわち、個人、地方自治体、学校、企業などの地域会員が、それぞれ、通信制御部と、処理部と、構内送配電網状態監視部と、送電／蓄電切替部と、太陽光発電部と、蓄電部と、接断部と、構内／広域グリッド切替部と、構内送配電網と、送電インターフェース部と、を備えた太陽光発電装置を有しており、
構内送配電網状態監視部は周波数、電圧など構内送配電網の状態を監視し、構内送配電網情報を処理部へ送るように処理部と接続され、
太陽光発電部は送電／蓄電切替部に接続され、太陽光発電部で発電された電力は送電／蓄電切替部へ送電され、
送電／蓄電切替部は蓄電部及び構内／広域グリッド切替部に接続され、処理部からの送電／蓄電切替信号に応じて、蓄電部または構内／広域グリッド切替部へ電力が送電され、
蓄電部は接断部を介して構内／広域グリッド切替部に接続され、処理部からの蓄電電力送電／遮断信号を受信した時に接断部が接続となり蓄電部に蓄えられた電力は構内／広域グリッド切替部へ送電され、一方、その他の時に接断部は遮断され、
構内／広域グリッド切替部は構内送配電網及び送電インターフェース部に接続され、処理部からの構内／広域グリッド切替信号に応じて構内送配電網または送電インターフェース部へ電力が送電され、
送電インターフェース部は広域送配電網に接続され送電し、
通信制御部は、会員管理用コンピュータ及び送配電網管理用コンピュータとともに、インターネットに接続され、情報の送受信ができ、
地域会員の太陽光発電装置の処理部は、一定周期に、または会員管理用コンピュータからの要求時に、地域会員の太陽光発電装置の発電量／蓄電量／エリア情報を送信し、インターネットを介して会員管理用コンピュータは受信し、
会員管理用コンピュータは、複数の地域会員の太陽光発電装置から送られてくる発電量／蓄電量／エリア情報と、送配電網管理用コンピュータから送られてくる広域送配電網状態情報と、複数の地域会員の太陽光発電装置の構内送配電網状態監視部から送られてくる構内送配電網状態情報と、に基づいて、各地域会員の太陽光発電装置の処理部に対して、それぞれ、（１）蓄電指令、（２）広域送配電網への送電指令、（３）構内送配電網への送電指令、（４）蓄電された電力の広域送配電網への送電指令、（５）蓄電された電力の構内送配電網への送電指令のうちいずれか１つを送り、
会員管理用コンピュータは、各地域会員の太陽光発電装置について、広域送配電網へ送電した総電力量を管理する、地域太陽光発電・送電システム
によって、解決される。
【０００８】
さらに、請求項２に記載の本発明に係る地域太陽光発電・送電システム、すなわち、地域会員が太陽光発電装置を購入する際に、購入費用を地域銀行が会員に融資し、
各地域会員が太陽光発電した電力を地域電力会社へ売電し、返済期間中はその売電収入を各地域会員を介して地域銀行へ返済し、完済後は各地域会員が収入として受け取る、
ことを特徴とする請求項１に記載の地域太陽光発電・送電システム
によって、太陽光パネルの設置普及率が大幅に向上すると考えられる。
【０００９】
さらに、多数の地域会員によって支えられているスポーツ・クラブが太陽光発電装置を製造している会社と有機的に組んで、地域会員の家庭などに、その会社製の太陽光発電装置を設置するように呼びかけるのが望ましい。
【発明を実施するための最良の形態】
【００１０】
以下、添付図面を参照しながら、本発明の実施形態について説明する。
【００１１】
図１は、本発明の地域太陽光発電・送電システムの第１の実施形態の概略図である。
【００１２】
地域において、多数の地域会員によって支えられている組織、例えば、サッカーチーム、が地域電力会社と、多数の地域会員、例えば、個人、地方自治体、学校、企業など、と協力して第１の実施形態の地域太陽光発電・送電システムが構成される。図１においては、地域会員は１つのみを示しているが、実際には、同一のエリアには複数の地域会員が存在し、エリアも複数存在している。
【００１３】
サッカーチームはそれを支えている地域会員のデータを管理するために会員管理用コンピュータを運営している。
【００１４】
地域電力会社は、その管轄下の広域送配電網状態を監視し、その情報を発信する送配電網管理用コンピュータを管理している。
【００１５】
そして、各地域会員の太陽光発電装置には処理部と情報送受信可能に接続された通信制御部が備えられている。また、この処理部へ構内送配電網状態監視部から構内送配電網状態情報へ送信可能に接続されている。
【００１６】
前記の会員管理用コンピュータと、送配電網管理用コンピュータと、会員の太陽光発電装置における通信制御部と、はインターネットに接続され、相互に情報の送受信を行うことができる。
【００１７】
地域会員の太陽光発電装置には、太陽光パネルなどの太陽光発電部と、太陽光発電部で発電された電力を受け入れて、処理部からの送電／蓄電切替信号に応じて、蓄電部または構内／広域グリッド切替部へ切替えて送電する送電／蓄電切替部と、蓄電部と、蓄電部と構内／広域グリッド切替部との間に配置され、処理部からの蓄電電力送電／遮断信号に応じて、通電または遮断に切替える接断部と、送電／蓄電切替部及び接断部から電力を受け入れ、処理部からの構内／広域グリッド切替信号に応じて、送電インターフェース部を介して広域送配網へ送電し、あるいは、構内送配電網へ送電する構内／広域送配電網切替部と、送電インターフェース部と、が含まれている。
【００１８】
会員管理用コンピュータは、複数の地域会員から送られてくる発電量／蓄電量／エリア情報と、複数の地域会員の構内送配電網状態情報と、送配電網管理コンピュータから送られてくる広域送配電網状態情報と、に基づいて、各地域会員の太陽光発電装置の処理部に対して、それぞれ、（１）蓄電指令、（２）広域送配電網への送電（すなわち、売電）指令、（３）構内送配電網への送電（すなわち、自己使用）指令、（４）蓄電された電力の広域送配電網への送電（すなわち、別の売電）指令、（５）蓄電された電力の構内送配電網への送電（すなわち、別の自己使用）指令のうちいずれか１つを送る。
【００１９】
これらの指令に基づいて、処理部は、送電／蓄電切替信号、構内／広域グリッド切替信号、蓄電電力送電／遮断信号を生成し、発信する。
【００２０】
また、会員管理用コンピュータは、各地域会員について、広域送配電網へ送電した総電力量を管理し、月ごとの売電収入金額を計算する。
【００２１】
図２は、本発明の地域太陽光発電・送電システムの第２の実施形態の概略図である。
【００２２】
多数の地域会員によって支えられている組織、例えばスポーツクラブが、太陽光発電装置製造会社と、多数の地域会員、例えば、個人、地方自治体、学校、企業など、と、地域銀行と、地域電力会社と、協力して第２の実施形態の地域太陽光発電・送電システムが構成される。図２においては、地域会員は１つのみ示しているが、実際には、同一のエリアには複数の地域会員が存在し、エリアも複数存在している。
【００２３】
会員制組織あるいは会員制施設は、太陽光発電装置にそのブランドを使用する独占使用権を製造会社に認め、対価として、ブランド使用料をその製造会社はその会員制組織に支払う。太陽光発電装置にそのブランドを使用することによって、その地域会員は、その製造会社が製造した太陽光発電装置を購入し、地域会員の建物に設置することを欲するようになる。
【００２４】
地域会員はその製造会社から太陽光発電装置を購入し、設置し、その購入対価をその製造会社に支払う。
【００２５】
なお、その製造会社が製造し、ブランドが付された太陽光発電装置を地域会員が購入する際には、地域銀行が購入費用の全額をその地域会員に融資する、例えば、ソーラーローンを設けるのが望ましい。
【００２６】
地域会員は購入した太陽光発電装置を使用して発電し、その一部の電力を自己使用し、残りの電力を地域電力会社に送電し、その対価として売電収入を得る。
【００２７】
各地域会員の売電収入を用いて、優先的にソーラーローンの返済に当てる。そのため、地域銀行は会員に対して、安心してソーラーローンを組むことができるのである。
【００２８】
ソーラーローンの返済は平均して１０年で完了する。その後は、各地域会員の売電収入は、各地域会員の収入となる。
【００２９】
第２の実施形態の地域太陽光発電・送電システムによれば、フィードインタリフ制度とともに、地域会員による太陽光発電装置の購入が容易になり、安定した売電収入を得ることができるようになる。そのため、その地域における太陽光発電装置の普及率は、短期間のうちに、大幅に向上するものと期待される。
【図面の簡単な説明】
【００３０】
【図１】本発明の地域太陽光発電・送電システムの第１の実施形態の概略図である。
【図２】本発明の地域太陽光発電・送電システムの第２の実施形態の概略図である。
【図１】
2012050232.tif 000003
【図２】
2012050232.tif 000004